(57)【要約】【課題】遊技機交換の際に、遊技機の設置形態を容易に変更可能な遊技機島を提供する。また、そのような遊技機島の形態変更方法を提供する。【解決手段】第一遊技媒体を使用した遊技を行う第一遊技機と、第二遊技媒体を使用した遊技を行う第二遊技機２ｂとを選択的に設置可能な配設部２４を備える遊技機島１において、一の第一遊技機を一の配設部２４に設置したとき、研磨機設置用部材１４１を有するものとする。また、研磨機設置用部材１４１は、第一遊技媒体を研磨する研磨装置の少なくとも一部を収容及び／又は載置するものとする。そして、研磨機設置用部材１４１は、一の配設部２４に一の第一遊技機を設置せずに第二遊技機２ｂを設置したときにも、研磨装置の少なくとも一部を収容及び／又は載置可能とする。【選択図】図３３
2020174922.tif 000002
【特許請求の範囲】
【請求項１】
第一遊技媒体を使用した遊技を行う第一遊技機と、第二遊技媒体を使用した遊技を行う第二遊技機とを選択的に設置可能な配設部を備える遊技機島であって、
一の第一遊技機を一の配設部に設置したとき、前記第一遊技媒体を研磨する研磨装置の少なくとも一部を収容可能及び／又は載置可能な研磨機設置用部材を有し、
前記研磨機設置用部材は、前記一の配設部に前記一の第一遊技機を設置せずに第二遊技機を設置したときにも、前記研磨装置の少なくとも一部を収容可能及び／又は載置可能であることを特徴とする遊技機島。
【請求項２】
前記配設部の下側で外壁を構成する下部側壁部を有しており、
前記研磨機設置用部材の少なくとも一部が、前記下部側壁部の内部に位置することを特徴とする請求項１に記載の遊技機島。
【請求項３】
前記配設部の下側で外壁を構成する下部側壁部を有し、
前記下部側壁部は、前記第二遊技媒体の搬送路を形成する搬路形成部材を収容可能な収容空間と、前記配設部と前記収容空間を連通させる連通部を有し、
一の第一遊技機を一の配設部に設置したとき、第一遊技機の少なくとも一部分が載置される載置台部材を有し、前記載置台部材が前記連通部を上方から覆うことを特徴とする請求項１又は２に記載の遊技機島。
【請求項４】
前記配設部の下側で外壁を構成する下部側壁部と、前記第二遊技媒体の搬送路を形成する搬路形成部材を有し、
前記下部側壁部は、前記配設部に設置される遊技機に応じて、前記搬路形成部材を収容したまま取り付け位置を変更可能であることを特徴とする請求項１乃至３のいずれかに記載の遊技機島。
【請求項５】
前記下部側壁部は、一又は複数の下壁保持部材に対して外壁材を着脱可能に取り付けて形成され、
前記外壁材を取り外すことで、前記搬路形成部材が外部に露出することを特徴とする請求項３又は４に記載の遊技機島。
【請求項６】
第一遊技媒体を使用した遊技を行う第一遊技機と、第二遊技媒体を使用した遊技を行う第二遊技機とを選択的に設置可能な配設部を備える遊技機島であって、
前記配設部の下側で外壁を構成する下部側壁部を有し、
前記下部側壁部は、前記第二遊技媒体の搬送路を形成する搬路形成部材を収容可能な収容空間と、前記配設部と前記収容空間を連通させる連通部を有し、
前記配設部に第一遊技機を設置したとき、第一遊技機の少なくとも一部分が載置される載置台部材を有し、前記載置台部材が前記連通部を上方から覆うことを特徴とする遊技機島。
【請求項７】
第一遊技媒体を使用した遊技を行う第一遊技機と、第二遊技媒体を使用した遊技を行う第二遊技機とを選択的に設置可能な配設部を備える遊技機島であって、
前記配設部の下側で外壁を構成する下部側壁部と、前記第二遊技媒体の搬送路を形成する搬路形成部材を有し、
前記下部側壁部は、前記配設部に設置される遊技機に応じて、前記搬路形成部材を収容したまま取り付け位置を変更可能であることを特徴とする遊技機島。
【請求項８】
請求項１乃至５のいずれかに記載の遊技機島であり、設置場所の床面上に構築された前記遊技機島において、一の配設部に第一遊技機を設置する第一配設形態から、前記一の配設部に第二遊技機を設置する第二配設形態への形態変更方法であり、
前記遊技機島は、島柱を前記床面に対して固定し、前記研磨機設置用部材を前記床面又は前記島柱に対して固定し、少なくとも前記島柱に前記配設部の上側で外壁を構成する上部側壁部と、前記配設部の下側で外壁を構成する下部側壁部とを取り付けて形成されており、
前記下部側壁部は、外壁材を保持する下壁保持部材を有し、
前記下壁保持部材は、本体部に固定する付属部材を着脱することで、形態変更が可能なものであって、
前記島柱を前記床面に対して固定し、且つ、前記研磨機設置用部材を前記床面又は前記島柱に対して固定した状態のまま、前記下壁保持部材を取り外す下壁取り外し工程と、前記下壁保持部材の形態を変更する下壁変更工程とを実施し、前記下壁変更工程の後に前記下壁保持部材を取り付ける下壁取り付け工程を実施することを特徴とする遊技機島の形態変更方法。
【請求項９】
前記遊技機島は、水平方向で離れた位置に配される一の前記上部側壁部と他の前記上部側壁部を有しており、２つの前記上部側壁部の間に前記第一遊技媒体の搬送路となる部材と、前記第二遊技媒体の搬送路となる部材が取り付けられ、
前記島柱に前記上部側壁部を固定した状態であり、且つ、２つの前記上部側壁部の間に前記第一遊技媒体の搬送路となる部材と、前記第二遊技媒体の搬送路となる部材を配した状態のまま、前記下壁取り外し工程と、前記下壁変更工程と、前記下壁取り付け工程を実施することを特徴とする請求項８に記載の遊技機島の形態変更方法。
【発明の詳細な説明】
【技術分野】
【０００１】
本発明は、遊技機を配置するための遊技機島に関する。また、設置する遊技機の種類に応じて実行される遊技機島の形態変更方法に関する。
【背景技術】
【０００２】
ぱちんこ機やスロット機等の遊技機が設置されている遊技場では、一般的に、遊技機の設置に使用する遊技機島と称される構造物が構築されている。
このような遊技機島には、ぱちんこ機のみが設置される所謂ぱちんこ島と称されるものや、スロット機のみが設置される所謂スロット島と称されるものがある。さらに、ぱちんこ機の列とスロット機の列とが背中合わせに設置される所謂ぱちんこ・スロット島と称されるものがある。
【０００３】
ここで、遊技機島には、上記したぱちんこ島と、スロット島と、ぱちんこ・スロット島からなる三形態のうちの一形態から、他の二形態の少なくとも一方へ変更可能なものがある。
例えば、ぱちんこ島からスロット島への変更が可能な遊技機島として、特許文献１に開示されたものがある。
【０００４】
特許文献１に開示された遊技機島では、ぱちんこ島からスロット島に切り替える際、ぱちんこ機を取り外した後、遊技機島を構成する各部を取り外す。すなわち、膳板回りの部分（ぱちんこ機用膳板ユニット）及び幕板回りの部分（ぱちんこ機用上部ユニット）と、これらを連結する島柱ユニットを取り外す。
さらに、ぱちんこ玉を収集搬送するための搬送路（ドブ）、ぱちんこ玉研磨装置、ぱちんこ玉を貯留するタンクを取り外す。
【０００５】
そして、遊技場の床面上に設置された腰下ユニットのみを残した状態とし、この腰板ユニットに、パチスロ機用の各部材を取り付けていく。すなわち、パチスロ機用の島柱ユニット、膳板回りの部分（パチスロ機用膳板ユニット）、幕板回りの部分（パチスロ機用上部ユニット）を取り付け、パチスロ機、メダル貸機、メダル搬送路等を取り付けていく。
【０００６】
つまり、この遊技機島は、腰下ユニットを共通部材として使用することで、ぱちんこ島を完全解体することなくパチスロ島に移行可能な構造としている。このことにより、遊技機交換（遊技機島の設置形態の変更）における費用や手間を抑えることを可能としている。
【先行技術文献】
【特許文献】
【０００７】
【特許文献１】特許第４９３９８６８号公報
【発明の概要】
【発明が解決しようとする課題】
【０００８】
しかしながら、従来技術の遊技機島には、遊技機交換における費用や手間を抑えるという点において、さらなる改善の余地があった。
【０００９】
具体的に説明すると、特許文献１の遊技機島は、完全解体せずにパチスロ島への移行が可能であるものの、遊技機島の外郭の基礎を形成する部分（膳板回りの部分や幕板回りの部分）の大部分を取り換える必要がある。
これに加えて、特許文献１の遊技機島では、遊技機に対応する遊技媒体を搬送、清掃する部材を全て取り換える必要がある。すなわち、ぱちんこ島からパチスロ島への移行であれば、ぱちんこ玉の補給樋、ぱちんこ玉の回収樋、ぱちんこ玉の揚送装置、ぱちんこ玉の研磨装置等のぱちんこ玉を搬送、清掃する部材を全て取り外す必要がある。そして、その後にメダルの補給樋、メダルの回収樋、メダル洗浄装置といったメダルを搬送、清掃する部材を取り付ける必要がある。
【００１０】
つまり、特許文献１の遊技機島では、依然として多くの部材を取り換える作業が発生するため、パチスロ島への移行作業が手間である。
ここで、遊技機交換に係る移行作業に時間がかかると、作業が終了するまで遊技場を開店できないため、遊技機交換のために店休日を設けたりする必要が生じてしまう。このことは、経営効率上好ましくなく、より早く遊技機交換に係る移行作業が可能な遊技機島が望まれていた。
【００１１】
また、遊技機島をぱちんこ島とした場合でのみ使用する部材は、パチスロ島に移行した際に不必要であり、倉庫等に保管する必要がある。同様に、パチスロ島とした場合でのみ使用する部材は、ぱちんこ島に移行した際に不必要であり、倉庫等に保管する必要がある。
そして、特許文献１の遊技機島では、ぱちんこ島とパチスロ島のいずれの形態で使用する場合においても、その形態で使用しない他形態用の部材が大量に発生してしまうので、多くの部材を倉庫等に保管する必要がある。したがって、遊技機交換に係る移行作業の際、多くの部材を倉庫に運搬する作業等が生じてしまい、作業が煩雑化してしまう。このこともまた、遊技機交換の移行作業が手間となる一因となる。
【００１２】
そこで本発明は、遊技機交換の際に、遊技機の設置形態を容易に変更可能な遊技機島を提供することを課題とする。また、そのような遊技機島の形態変更方法を提供することを課題とする。
【課題を解決するための手段】
【００１３】
上記課題を解決するための請求項１に記載の発明は、第一遊技媒体を使用した遊技を行う第一遊技機と、第二遊技媒体を使用した遊技を行う第二遊技機とを選択的に設置可能な配設部を備える遊技機島であって、一の第一遊技機を一の配設部に設置したとき、前記第一遊技媒体を研磨する研磨装置の少なくとも一部を収容可能及び／又は載置可能な研磨機設置用部材を有し、前記研磨機設置用部材は、前記一の配設部に前記一の第一遊技機を設置せずに第二遊技機を設置したときにも、前記研磨装置の少なくとも一部を収容可能及び／又は載置可能であることを特徴とする遊技機島である。
【００１４】
本発明の遊技機島では、取り付けに手間がかかり、重量のある研磨装置を内部においたまま遊技機島の形態変更が可能であり、形態変更の際の作業の手間を低減できる。
【００１５】
請求項２に記載の発明は、前記配設部の下側で外壁を構成する下部側壁部を有しており、前記研磨機設置用部材の少なくとも一部が、前記下部側壁部の内部に位置することを特徴とする請求項１に記載の遊技機島である。
【００１６】
かかる構成では、下部側壁部の内部に研磨機設置用部材の少なくとも一部が収容される。すなわち、下部側壁部よりも内側に形成される遊技機島の内部空間を狭くすることが可能となり、遊技機島の小型化が可能となる。
【００１７】
請求項３に記載の発明は、前記配設部の下側で外壁を構成する下部側壁部を有し、前記下部側壁部は、前記第二遊技媒体の搬送路を形成する搬路形成部材を収容可能な収容空間と、前記配設部と前記収容空間を連通させる連通部を有し、一の第一遊技機を一の配設部に設置したとき、第一遊技機の少なくとも一部分が載置される載置台部材を有し、前記載置台部材が前記連通部を上方から覆うことを特徴とする請求項１又は２に記載の遊技機島である。
【００１８】
かかる構成によると、搬路形成部材を使用しない状態において、連通部から下部側壁部の内部（遊技機島の内部）への異物等の侵入を防止できる。
【００１９】
請求項４に記載の発明は、前記配設部の下側で外壁を構成する下部側壁部と、前記第二遊技媒体の搬送路を形成する搬路形成部材を有し、前記下部側壁部は、前記配設部に設置される遊技機に応じて、前記搬路形成部材を収容したまま取り付け位置を変更可能であることを特徴とする請求項１乃至３のいずれかに記載の遊技機島である。
【００２０】
かかる構成によると、搬路形成部材を取り外したりすることなく、下部側壁部の取り付け位置を変更可能であり、遊技機島の形態変更を容易に実施できる。
【００２１】
請求項５に記載の発明は、前記下部側壁部は、一又は複数の下壁保持部材に対して外壁材を着脱可能に取り付けて形成され、前記外壁材を取り外すことで、前記搬路形成部材が外部に露出することを特徴とする請求項３又は４に記載の遊技機島である。
【００２２】
かかる構成によると、搬路形成部材に対するメンテナンス作業等を容易に行うことができる。
【００２３】
請求項６に記載の発明は、第一遊技媒体を使用した遊技を行う第一遊技機と、第二遊技媒体を使用した遊技を行う第二遊技機とを選択的に設置可能な配設部を備える遊技機島であって、前記配設部の下側で外壁を構成する下部側壁部を有し、前記下部側壁部は、前記第二遊技媒体の搬送路を形成する搬路形成部材を収容可能な収容空間と、前記配設部と前記収容空間を連通させる連通部を有し、前記配設部に第一遊技機を設置したとき、第一遊技機の少なくとも一部分が載置される載置台部材を有し、前記載置台部材が前記連通部を上方から覆うことを特徴とする遊技機島である。
【００２４】
かかる構成によると、下部側壁部に搬路形成部材を収容可能であり、奥まった位置に配置された搬路形成部材を取り外したりする必要がなく、遊技機島の形態変更が容易である。また、搬路形成部材を使用しない状態において、連通部から下部側壁部の内部（遊技機島の内部）への異物等の侵入を防止できる。
【００２５】
請求項７に記載の発明は、第一遊技媒体を使用した遊技を行う第一遊技機と、第二遊技媒体を使用した遊技を行う第二遊技機とを選択的に設置可能な配設部を備える遊技機島であって、前記配設部の下側で外壁を構成する下部側壁部と、前記第二遊技媒体の搬送路を形成する搬路形成部材を有し、前記下部側壁部は、前記配設部に設置される遊技機に応じて、前記搬路形成部材を収容したまま取り付け位置を変更可能であることを特徴とする遊技機島である。
【００２６】
かかる構成によると、搬路形成部材を取り外したりすることなく、下部側壁部の取り付け位置を変更可能であり、遊技機島の形態変更を容易に実施できる。
【００２７】
請求項８に記載の発明は、請求項１乃至５のいずれかに記載の遊技機島であり、設置場所の床面上に構築された前記遊技機島において、一の配設部に第一遊技機を設置する第一配設形態から、前記一の配設部に第二遊技機を設置する第二配設形態への形態変更方法であり、前記遊技機島は、島柱を前記床面に対して固定し、前記研磨機設置用部材を前記床面又は前記島柱に対して固定し、少なくとも前記島柱に前記配設部の上側で外壁を構成する上部側壁部と、前記配設部の下側で外壁を構成する下部側壁部とを取り付けて形成されており、前記下部側壁部は、外壁材を保持する下壁保持部材を有し、前記下壁保持部材は、本体部に固定する付属部材を着脱することで、形態変更が可能なものであって、前記島柱を前記床面に対して固定し、且つ、前記研磨機設置用部材を前記床面又は前記島柱に対して固定した状態のまま、前記下壁保持部材を取り外す下壁取り外し工程と、前記下壁保持部材の形態を変更する下壁変更工程とを実施し、前記下壁変更工程の後に前記下壁保持部材を取り付ける下壁取り付け工程を実施することを特徴とする遊技機島の形態変更方法である。
【００２８】
かかる構成によると、取り付けに手間のかかる骨格部分（島柱）を取り外したりすることなく、遊技機島の形態変更が可能である。また、重量のある研磨装置を内部においたまま、遊技機島の形態変更が可能である。これらのことから、形態変更の際の作業の手間を低減できる。
【００２９】
請求項９に記載の発明は、前記遊技機島は、水平方向で離れた位置に配される一の前記上部側壁部と他の前記上部側壁部を有しており、２つの前記上部側壁部の間に前記第一遊技媒体の搬送路となる部材と、前記第二遊技媒体の搬送路となる部材が取り付けられ、前記島柱に前記上部側壁部を固定した状態であり、且つ、２つの前記上部側壁部の間に前記第一遊技媒体の搬送路となる部材と、前記第二遊技媒体の搬送路となる部材を配した状態のまま、前記下壁取り外し工程と、前記下壁変更工程と、前記下壁取り付け工程を実施することを特徴とする請求項８に記載の遊技機島の形態変更方法である。
【００３０】
かかる構成によると、部材の取り外しや取り付けが困難となる高位置に形成される部分に対し、島柱からの上部側壁部の取り外し作業や、搬送路の取り外し作業、また、これらの取り付け作業等を行うことなく遊技機島の形態変更作業を実施できる。このことから、遊技機島の形態変更作業の容易化を図ることができる。
【発明の効果】
【００３１】
本発明によると、遊技機交換の際に、遊技機の設置形態を容易に変更可能な遊技機島を提供できる。
【図面の簡単な説明】
【００３２】
【図１】本発明の実施形態に係る遊技機島を第一配設形態とした状態を模式的に示す斜視図である。
【図２】図１の遊技機島を別方向からみた様子を示す斜視図である。
【図３】図１の島本体部を一部の部材を省略して模式的に示す説明図である。
【図４】図１の島本体部の内部に配される遊技球の供給、回収のための部材を模式的に示す説明図である。
【図５】図１の島本体部の内部に配されるメダルの供給、回収のための部材を模式的に示す説明図であり、（ａ）は、短手方向の一方側からみた様子を示し、（ｂ）は、短手方向の他方側からみた様子を示す。
【図６】図１の島本体部の内部を模式的に示す断面図である。
【図７】図３の上側基礎構造体を示す斜視図である。
【図８】図３の上壁形成部の下側に、第一上方固定部材を取り付ける様子を示す説明図である。
【図９】図３の島本体部の骨格部分に下壁形成部を取り付ける様子を示す説明図である。
【図１０】図９の島柱に台部材を取り付ける様子を示す説明図である。
【図１１】図９の第一下側基礎構造体を示す斜視図である。
【図１２】図１１の第一下側基礎構造体を示す分解斜視図である。
【図１３】図１２の第一本体部を異なる方向からみた様子を示す斜視図である。
【図１４】図９の下側基礎構造体に対し、腰板形成部材を取り付ける様子を示す説明図である。
【図１５】図９の第二下側基礎構造体を示す分解斜視図である。
【図１６】図1５の第二本体部を別方向からみた様子を示す斜視図である。
【図１７】図１の遊技機島の内部に配される紙幣搬送装置を模式的に示す説明図であり、紙幣搬送装置の位置をドットで示す。
【図１８】図９の下側基礎構造体に対し第二回収手段を取り付けた様子を示す説明図である。
【図１９】図１の下壁形成部の内部に第二回収手段が配されている様子を模式的に示す説明図であり、腰板形成部材及び一部の部材を省略して示す図であって、（ａ）は、短手方向の一方側からみた様子を示し、（ｂ）は、短手方向の他方側からみた様子を示す。
【図２０】図３の研磨機ユニットを示す斜視図である。
【図２１】図２０の外郭部材を示す斜視図であり、（ａ）、（ｂ）はそれぞれ異なる方向からみた様子を示す。
【図２２】図２０の外郭部材を示す斜視図であり、本体箱部と小片部を分離した様子を示す。
【図２３】図２０の本体箱部を示す斜視図であり、（ａ）、（ｂ）はそれぞれ異なる方向からみた様子を示す。
【図２４】図１９（ａ）の外郭部材の周辺を拡大して示す正面図である。
【図２５】本発明の実施形態に係る遊技機島を第二配設形態とした状態を模式的に示す斜視図である。
【図２６】図１の遊技機島を第一配設形態から第二配設形態へ形態変更させる様子を示す説明図であり、第一上方固定部材に替わって第二上方固定部材を取り付ける様子を示す。
【図２７】図１の遊技機島を第一配設形態から第二配設形態へ形態変更させる様子を示す説明図であり、下壁形成部と台部材を取り外す様子を示す。
【図２８】図２７に続いて、下壁形成部の下側基礎構造体から第一載置部材と、内側添板部材とを取り外す様子を示す説明図である。
【図２９】図２８に続いて、下壁形成部の下側基礎構造体に対して第二載置部材を取り付ける様子を示す説明図である。
【図３０】図２９に続いて、形態変更後の下壁形成部を遊技機島の骨格部分に取り付ける様子を示す説明図である。
【図３１】図２９の第二載置部材を示す斜視図であり、長手方向における端部周辺を拡大して示す。
【図３２】第一下壁形成部の内部で３つの回収手段形成部材を連結する様子を示す説明図であり、（ａ）、（ｂ）の順で連結する。
【図３３】図２５の島本体部の内部に配されるメダルの供給、回収のための部材を模式的に示す説明図であり、（ａ）は、短手方向の一方側からみた様子を示し、（ｂ）は、短手方向の他方側からみた様子を示す。
【図３４】図２５の島本体部の内部を模式的に示す断面図である。
【図３５】図２５の島本体部のメダル回収シュートの周辺を示す図であり、（ａ）は斜視図、（ｂ）は（ａ）のＡ−Ａ断面図である。
【図３６】図２５の島本体部において、研磨機ユニットの本体箱部と、その周辺に位置する下壁形成部及びメダル回収シュートを示す説明図である。
【図３７】本発明の実施形態に係る遊技機島を第三配設形態とした状態を模式的に示す断面図である。
【図３８】上記した実施形態とは異なる下壁形成部を示す説明図である。
【図３９】上記した実施形態とは異なる研磨機設置用部材に研磨揚送装置を収容する様子を示す説明図であり、（ａ）、（ｂ）の順に収容する。
【図４０】上記した実施形態とは異なる研磨機設置用部材に対して研磨揚送装置を載置した様子を示す説明図である。
【発明を実施するための形態】
【００３３】
以下、本発明の実施形態に係る遊技機島１について、図面を参照しつつ詳細に説明するが、本発明はこれらの例に限定されるものではない。
また、上下方向は、特に断りのない限り、図１を基準に説明とする。
【００３４】
本実施形態に係る遊技機島１は、図１、図２で示されるように、複数の遊技機２を配設するための構造物であり、短手方向の一方側（図１参照）に片側遊技機列５が配設され、他方側に他方側遊技機列６が配設される（図２参照）。
これら片側遊技機列５、他方側遊技機列６は、いずれも複数の遊技機２を並列配置して形成されている。また、片側遊技機列５に属するそれぞれの遊技機２と、他方側遊技機列６に属するそれぞれの遊技機２とは、背中合わせに配設されている。
なお、作図の都合上、一部のみの遊技機２にのみ符号を付し、他への符号を省略する。また、台間機器７、台間板８、データランプ９も同様に、一部にのみ符号を付すものとする。
【００３５】
本実施形態の遊技機島１は、詳しくは後述するが、パチンコ島として運用する第一配設形態と、スロット島として運用する第二配設形態と、パチンコ・スロット島として運用する第三配設形態から構成される三つの形態の間で形態変更が可能となっている。
【００３６】
第一配設形態は、片側遊技機列５及び他方側遊技機列６に配設する遊技機２をぱちんこ機２ａ（第一遊技機）とする形態である（図１、図２参照）。
第二配設形態は、片側遊技機列５及び他方側遊技機列６に配設する遊技機２をパチスロ機２ｂ（第二遊技機）とする形態である（図２５、図３４参照）。
第三配設形態は、片側遊技機列５及び他方側遊技機列６の一方に配設される遊技機２をぱちんこ機２ａとし、他方に配設される遊技機２をパチスロ機２ｂとする形態である（図３７参照）。
【００３７】
ぱちんこ機２ａは、遊技球（第一遊技媒体）を使用した遊技が可能な弾球遊技機である。
パチスロ機２ｂは、メダル（第二遊技媒体）を使用した遊技が可能な回胴式遊技機である。
【００３８】
つまり、本実施形態の遊技機島１は、２つの遊技機列（片側遊技機列５、他方側遊技機列６）のそれぞれに配設する遊技機２の種類に応じて、複数の形態から一つの形態を選択し、選択した形態で運用可能なものである。
【００３９】
以下の説明では、まず、図１、図２で示される第一配設形態とした遊技機島１について詳細に説明する。
【００４０】
遊技機島１は、設置場所（遊技場等）の床面上に構築される構造物であり、図１、図２で示されるように、島本体部１０と、メダル揚送ユニット１１と、外付け金庫１２（図２参照）を一体化して形成されている。
【００４１】
外付け金庫１２は、島本体部１０の一方の妻板２０に取り付けられており、内部に紙幣を収容する紙幣収容部（図示しない）を有する。
【００４２】
メダル揚送ユニット１１は、外箱部材の内部に、メダルを洗浄するメダル洗浄装置と、メダルを上方に揚送するリフタ等のメダル揚送装置を有している。このメダル揚送ユニット１１は、島本体部１０のもう一方の妻板２０の外側に隣接する位置に配される。
【００４３】
島本体部１０は、図１、図２で示されるように、全体の外形が略直方体状となる箱型構造物である。具体的には、この島本体部１０は、外郭部分を形成する部材として、２つの妻板２０と、島天板部２１と、上壁形成部２２（上部側壁部）と、下壁形成部２３（下部側壁部）と有している。
そして、図３で示されるように、上壁形成部２２と下壁形成部２３の間に、遊技機２、台間機器７、台間板８等（図１、図２等参照）を配置する空間である機器配設部２４（配設部）が形成される。
【００４４】
具体的には、図３で示されるように、島本体部１０は、遊技機島１の設置場所（遊技場の床）に、複数の島柱２８と研磨機ユニット２９を一体に固定し、並列配置される複数の島柱２８によって骨格部分（基礎部分であり、以下、島の骨格部分とする）を形成する。そして、島の骨格部分に対し、上壁形成部２２と下壁形成部２３を取り付けて形成する。
【００４５】
島本体部１０の内部には、図４、図５で示されるように、遊技媒体（遊技球、メダル）を供給、回収するための経路を形成する部材が収容されている。
具体的には、遊技球を搬送する遊技媒体の搬送用部材として、図４で示されるように、第一補給手段３２、オーバーフローレール３３、球抜きホース３４、オーバーフローホース３５、第一回収手段３６が島本体部１０の内部に配されている。これらの搬送用部材は、島中タンク３７、島上タンク３８、研磨機ユニット２９を組み合わせることで、ぱちんこ機２ａを経て遊技球を循環させる第一循環流路３９を形成する。
なお、島上タンク３８は、導入された遊技球を一時的に貯留可能な箱状部材であり、図１、図２で示されるように、島天板部２１の上側に形成されている。この島上タンク３８は、揚送流路１４３（図３参照、詳しくは後述する）の内部を通過した遊技球が内部に導入される部材である。
【００４６】
加えて、他の遊技媒体であるメダルの搬送用部材として、図５、図６で示されるように、１つの第二補給手段４３と、２つの第二回収手段４４（第二回収手段４４ａ，４４ｂ）が島本体部１０の内部に収容されている。
なお、２つの第二回収手段４４は、図５で示されるように、いずれも島本体部１０の長手方向に延びる部材である。一方の第二回収手段４４ａは、一部が分断された状態で延びている（詳しくは後述する、図５（ａ）参照）。対して、他方の第二回収手段４４ｂは、長手方向の一端側から他端側まで欠落することなく延びる一連の経路を形成している（図５（ｂ）参照）。
【００４７】
さらに、島本体部１０の内部には、図６で示されるように、現金を搬送する現金搬送部材として、紙幣搬送装置４７が配されている。
【００４８】
以下、島本体部１０の外側部分を形成する部材と、内部に収容される各種機器及び各種部材についてさらに詳細に説明していく。
ここで、以下の説明において、遊技機島１及び島本体部１０の長手方向を単に島の長手方向とも称し、遊技機島１及び島本体部１０の短手方向を単に島の短手方向とも称す（図１等参照）。
なお、島の長手方向は、図１、図２で示されるように、２つの妻板２０の対向方向であり、それぞれの遊技機列（片側遊技機列５、他方側遊技機列６）における遊技機２の並列方向でもある。
対して、島の短手方向は、背中合わせに配される片側遊技機列５に属する遊技機２と、他方側遊技機列６に属する遊技機２の対向方向であり、島の長手方向と直交する方向でもある。
【００４９】
上壁形成部２２は、図３で示されるように、島の骨格部分の上側に取り付けられ、島本体部１０の上側部分を形成する（図１参照）。
この上壁形成部２２は、図３で示されるように、上側基礎構造体５３の外側上方に対して幕板形成部材５４を取り付けて形成される。
【００５０】
上側基礎構造体５３は、図７で示されるように、上下方向で離れた位置にある平板状の上板部５６及び下板部５７と、これらの間に位置する連結板部５８と、島の短手方向における外側下方にランプ板形成部５９を備えている。
【００５１】
ランプ板形成部５９は、図１、図２で示されるように、データランプ９を取り付けるための部分である。このランプ板形成部５９と、上記した幕板形成部材５４は、必要に応じて化粧部材が取り付けられ、島本体部１０の外壁面を形成する。
【００５２】
本実施形態の島本体部１０では、図３、図６で示されるように、島の短手方向における一方側と他方側のそれぞれに上壁形成部２２が配されている。そして、一方の上壁形成部２２の上板部５６と、他方の上壁形成部２２の上板部５６に平板状の島天板部２１が掛け渡されている。
【００５３】
ここで、本実施形態の上壁形成部２２は、図３で示されるように、複数の上側基礎構造体５３を島の長手方向で並列配置し、これら複数の上側基礎構造体５３に複数の幕板形成部材５４を取り付けて形成している。
この複数の上側基礎構造体５３や、複数の幕板形成部材５４は、それぞれの島の長手方向における長さが同一（又は略同一）となるように形成してもよい。その一方で、一以上の上側基礎構造体５３、幕板形成部材５４が他の上側基礎構造体５３、幕板形成部材５４と比べて、島の長手方向における長さが異なるように形成してもよい。
なお、ここでいう「略同一」とは数パーセントの誤差を含むものとする。
【００５４】
また、このような本実施形態の構造に替わって、例えば遊技機島長（島の長手方向の長さ）が短い場合に、長手方向の長さが長い一つの上側基礎構造体５３や、一つの幕板形成部材５４を採用する構造も考えられる。
【００５５】
ここで、図８で示されるように、上壁形成部２２の下側部分には、第一上方固定部材６３を取り付けている。
なお、本実施形態では、一つの第一上方固定部材６３を取り付けているが、島の長手方向長さが短い複数の第一上方固定部材６３を島の長手方向で並列配置し、これらを連結して一体化してもよい。
【００５６】
この第一上方固定部材６３は、ぱちんこ機２ａの上側部分を島本体部１０に固定するための部材である。この第一上方固定部材６３は、平板状の下板部６５と、下板部６５の上面から上方に突出する立板部６６と、外壁形成板部６７とが一体となった立体構造体である。
【００５７】
下壁形成部２３は、図９で示されるように、島の骨格部分の下側に取り付けられる部分である。ここで、第一配設形態では、島柱２８に台部材７０を取り付け、この台部材７０の上に下壁形成部２３を載置している。
【００５８】
詳細に説明すると、少なくとも一つの島柱２８は、図１０で示されるように、下側部分に添板部７３と下壁載置部７４とを有している。
【００５９】
添板部７３は、下壁形成部２３を取り付けた状態において、下壁形成部２３の内側部分（島の短手方向における内側部分）に内側から接触する（図９参照）。
下壁載置部７４は、図１０で示されるように、その上端部分に２つの台板部７５を有している。
【００６０】
台部材７０は、図１０で示されるように、上側に位置する２つの台上板部７８と、下側に位置する２つの台下板部７９と、これらの間に位置する連結部８０及び補助板部８１とが一体に形成された立体構造体である。
【００６１】
この台部材７０は、２つの台下板部７９を下壁載置部７４の２つの台板部７５に載置し、これらを上下方向で重ねた状態として、島柱２８に一体に固定する。
【００６２】
下壁形成部２３は、図９、図１４で示されるように、下側基礎構造体８３（下壁保持部材）に対し、腰板形成部材８４(外壁材)を取り付けて形成されている。
【００６３】
ここで、本実施形態の島本体部１０では、図６で示されるように、島の短手方向における一方側と他方側のそれぞれに下壁形成部２３が配されている。
【００６４】
これら２つの下壁形成部２３は、図３で示されるように、いずれも複数の下側基礎構造体８３を島の長手方向で並列配置し、この複数の下側基礎構造体８３に複数の腰板形成部材８４を取り付けて形成している。
【００６５】
下壁形成部２３でもまた、複数の下側基礎構造体８３や、複数の腰板形成部材８４は、それぞれの島の長手方向における長さが同一（又は略同一）となるように形成してもよい。その一方で、一以上の下側基礎構造体８３、腰板形成部材８４が他の下側基礎構造体８３、腰板形成部材８４と比べて、島の長手方向における長さが異なるように形成してもよい。
【００６６】
また、このような本実施形態の構造に替わって、長手方向の長さが長い一つの下側基礎構造体８３や、一つの腰板形成部材８４を採用する構造も考えられる。
【００６７】
ここで、２つの下壁形成部２３の一方となる第一下壁形成部２３ａでは、複数（２つ）の第一下側基礎構造体８３ａと、一つの第二下側基礎構造体８３ｂを並列配置している。つまり、下側基礎構造体８３の一つが他とは異なる構造となっている。
対して、２つの下壁形成部２３の他方となる第二下壁形成部２３ｂでは、複数の第一下側基礎構造体８３ａを並列配置している。
【００６８】
第一下側基礎構造体８３ａは、図１１、図１２で示されるように、第一本体部８７（本体部）に対し、第一載置部材８８（載置台部材、付属部材）と、内側添板部材８９（付属部材）を取り付けて形成されている。
【００６９】
第一本体部８７は、図１２で示されるように、上板部９０と、下板部９１と、連結板部９２と、上側背板部９３と、下側背板部９４と、上側外側板部９５と、下側外側板部９６を有し、これらが一体に連結された立体構造体である。そして、上側外側板部９５の外側面（島の短手方向における外側面）に第一腰板取付部材９８が取り付けられ、下側外側板部９６の外側面に第二腰板取付部材９９が取り付けられている。
【００７０】
上板部９０と下板部９１は、いずれも上下方向を厚さ方向とする平板状の部分であり、上下方向で離れた位置にそれぞれ配され、島の長手方向に延びている。そして、上板部９０の内側部分（島の短手方向における内側部分）の下方側に下板部９１が位置している。
また、上板部９０のうち、島の短手方向で外側に位置する部分は、必要に応じて化粧部材が取り付けられ、島本体部１０の外壁面（膳板部分）を形成する部分である。
【００７１】
連結板部９２は、側面視形状（島の長手方向を視線方向とした平面視形状）が略コ字状となり、切欠部９２ａを有する立板状の部分である。
【００７２】
ここで、本実施形態の第一本体部８７には、複数の連結板部９２が島の長手方向で間隔を空けて並列配置されている。
【００７３】
したがって、上板部９０と下板部９１との間に形成される空間（以下、回収手段配置部１００（収容空間））では、それぞれの切欠部９２ａが形成されている部分で、第一本体部８７の長手方向の一端側から他端側までの間で延びる一連の空間が形成されている。
この回収手段配置部１００は、第二回収手段４４を配置する下壁内空間１２０（図６等参照、詳しくは後述する）の少なくとも一部を形成する。
【００７４】
具体的に説明すると、図１２で示されるように、第一本体部８７の回収手段配置部１００は、島の長手方向で並列する複数の小空間部１０３のそれぞれが、切欠部９２ａを介して隣の小空間部１０３と連続して形成される。
【００７５】
上側背板部９３と下側背板部９４は、図１２、図１３で示されるように、いずれも島の短手方向を厚さ方向とする立板状部材である。これらは、いずれも回収手段配置部１００を内側（島の短手方向における内側）から覆う部分である。
上側背板部９３は、上板部９０と複数の連結板部９２に内側から接触しており、下側背板部９４は、下板部９１と複数の連結板部９２に内側から接触している。そして、上側背板部９３と下側背板部９４は、上下方向で離れた位置にそれぞれ配されている。
【００７６】
上側外側板部９５と下側外側板部９６は、図１２、図１３で示されるように、回収手段配置部１００を外側（島の短手方向における外側）から覆う板状部材であり、いずれも複数の連結板部９２に外側から接触しており、上下方向で離れた位置にそれぞれ配されている。なお、上側外側板部９５は、上板部９０に下方側から接触しており、下側背板部９４は、下板部９１に外側から接触している。
【００７７】
さらに、この上側背板部９３と上側外側板部９５は、正面視（島の短手方向を視線方向とした平面視）において一部が重なる位置に配されている。
そして、下側背板部９４と下側外側板部９６もまた、正面視において一部が重なる位置に配されている。
【００７８】
第一腰板取付部材９８は、図１４で示されるように、下側に開口し、腰板形成部材８４の上側部分を内側に挿入可能な上側凹部９８ａを有している。
第二腰板取付部材９９は、上側に開口し、腰板形成部材８４の下側部分を内側に挿入可能な下側凹部９９ａを有している。
上側凹部９８ａと下側凹部９９ａとは、上下方向で離れた位置にあり、上下方向で離間対向している。
【００７９】
ここで、本実施形態の第一本体部８７には、図１２、図１３で示されるように、特徴的な部分として、連通孔部１０５（連通部）が形成されている。さらに、第一本体部８７の上側部分には、島の短手方向における内側端部の周辺に取付用凹部１０６が形成されている。
【００８０】
連通孔部１０５は、略Ｌ字状に連続する上板部９０と上側背板部９３に形成される貫通孔であり、これらをそれぞれの厚さ方向に貫通し、回収手段配置部１００と外部を連通する孔である。
すなわち、連通孔部１０５は、上板部９０の島の短手方向における内側端部（図１３では手前側）の周辺と、上板部９０と上側背板部９３によって形成される角部分と、上側背板部９３の上側端部周辺に亘って形成されている。
また、上板部９０は、上板部９０を貫通する部分の開口形状と、上側背板部９３を貫通する部分の開口形状とが、それぞれ略四角形状となっている。
【００８１】
取付用凹部１０６は、隣接する上板部９０の上面よりも下方に窪んだ部分である。この取付用凹部１０６の底面は、上板部９０の内側端部周辺に形成される凹部の底面と、上側背板部９３の上面とが同高さに配されて形成されている。したがって、取付用凹部１０６の底部分は、隣接する上板部９０の上面と段差を介して連続している。
具体的には、この取付用凹部１０６は、連通孔部１０５によって途切れつつ、島の長手方向に沿って断続して延びている。
【００８２】
第一載置部材８８は、図１２で示されるように、取り付け時における厚さ方向が上下方向であり、島の長手方向に延びる平板状の部材である。
【００８３】
この第一載置部材８８は、図１１で示されるように、島の短手方向における上板部９０の内側部分に載置される。
このとき、第一載置部材８８の内側端部は、上板部９０の内側端部よりも内側に位置し、外側端部は、上板部９０の外側端部よりも内側に位置する。
つまり、第一載置部材８８の下面の一部は、上板部９０の上面と接触し、他の一部は、取付用凹部１０６の底部分から上方に離れた位置にある。
【００８４】
このことから、第一載置部材８８を第一本体部８７に取り付けた状態では、連通孔部１０５の上側開口の全域の上方に第一載置部材８８が位置し、この上側開口を上側から覆った状態となっている。
【００８５】
内側添板部材８９は、図１２で示されるように、取り付け時における厚さ方向が島の短手方向となり、島の長手方向に延びる立板状の部材である。
【００８６】
この内側添板部材８９は、図１１で示されるように、上側背板部９３の内側面（島の短手方向における内側面）にさらに内側から接触させ、上側背板部９３に一体に取り付ける。
このとき、内側添板部材８９は、上側背板部９３に形成される連通孔部１０５の開口部分（図１３参照）、すなわち、内側開口部分をさらに内側から覆った状態となっている。
【００８７】
第二下側基礎構造体８３ｂは、図１５で示されるように、第二本体部１１０（本体部）に対し、第一載置部材８８と、内側添板部材８９を取り付けて形成されている。
なお、第一下側基礎構造体８３ａと同様の部分については、同じ符号を付し、重複する詳細な説明を省略する。
【００８８】
第二本体部１１０は、図１５で示されるように、島の長手方向における中心側部分に、管理用空間１１２（管理用孔部）が形成されている点において、第一本体部８７と異なる構造となっている。
【００８９】
管理用空間１１２は、図１５、図１６で示されるように、第二本体部１１０の全体を島の短手方向に貫通する空間であり、上板部９０の下方側に形成されている。
すなわち、第二本体部１１０では、下板部９１と、上側背板部９３と、下側背板部９４と、上側外側板部９５と、下側外側板部９６と、第一腰板取付部材９８と、第二腰板取付部材９９が、管理用空間１１２によって分断され、島の長手方向に沿って断続しつつ延びている。
【００９０】
第二本体部１１０においては、管理用空間１１２を挟んだ一方側と、他方側のそれぞれに複数の連結板部９２が配されており、それぞれの連結板部９２が上板部９０と下板部９１とを一体に連結している。
【００９１】
また、管理用空間１１２が切欠部９２ａを介して小空間部１０３と連通して、回収手段配置部１０４（収容空間）が形成されている。この回収手段配置部１０４もまた、第二回収手段４４を配置する下壁内空間１２０（図６等参照、詳しくは後述する）の少なくとも一部を形成する。
そして、この回収手段配置部１０４においても、切欠部９２ａが形成されている部分で、第二本体部１１０の長手方向（島の長手方向）の一端側から他端側に至るまでの間で延びる一連の空間が形成されている。
【００９２】
第二本体部１１０もまた、連通孔部１１５と、取付用凹部１１６が形成されている。
【００９３】
ここで、図１５で示されるように、第二下側基礎構造体８３ｂにおいても、第二本体部１１０に第一載置部材８８を取り付けることで、第一載置部材８８によって連通孔部１１５が上方から覆われた状態となっている。
【００９４】
本実施形態では、図１２、図１５で示されるように、下側基礎構造体８３の本体部（第一本体部８７、第二本体部１１０）の長手方向長さと、第一載置部材８８、内側添板部材８９の同方向長さとが同一又は略同一となっている。そして、一の本体部（第一本体部８７、第二本体部１１０）に一の第一載置部材８８、内側添板部材８９を取り付けている。
しかしながら、これに替わって、長手方向の長さの長い第一載置部材８８、内側添板部材８９を採用し、並列配置した複数の本体部に一の第一載置部材８８、内側添板部材８９を取り付けてもよい。対して、長手方向の長さの短い第一載置部材８８、内側添板部材８９を採用し、一の本体部に複数の第一載置部材８８、内側添板部材８９を取り付けてもよい。
【００９５】
続いて、機器配設部２４（図３参照）に配置される台間機器７、台間板８について説明する。
本実施形態では、台間機器７（図１、図２参照）として、遊技媒体貸出機（第一配設形態では玉貸機）を設置している。この遊技媒体貸出機は、隣接配置される遊技機２に対応付けられている。
【００９６】
なお、この他、台間機器７としては、例えば、分煙用装置が採用できる。
例えば、本実施形態では、２つの遊技機２の間に一つの台間機器７を設けているが、これに替わって複数の台間機器７を設けてもよい。すなわち、２つの遊技機２の間に二つの台間機器７を設け、それぞれの台間機器７として遊技媒体貸出機と、分煙用装置を採用してもよい。
【００９７】
台間板８は、遊技機島１（島本体部１０）の外壁面の一部を形成する立板状部材であり、島本体部１０の内部空間（後述する本体内空間１１９）を外側から覆う部材である。
【００９８】
続いて、島本体部１０の内部に収容される機器について詳細に説明する。
なお、島本体部１０の内部機器は、島柱２８（図３等参照）、妻板２０（図１等参照）、島本体部１０の内壁等といった各部に対し、図示しない取付金具等を介して一体に固定する。
【００９９】
まず、島本体部１０は、図６で示されるように、内部空間として、島の短手方向の中心側に位置する本体内空間１１９と、２つの下壁形成部２３の内部にそれぞれ形成される下壁内空間１２０を有する。
【０１００】
本体内空間１１９は、２つの上壁形成部２２の間に位置する上側空間部１１９ａと、２つの下壁形成部２３の間に位置する下側空間部１１９ｂと、その間に位置する中間空間部１１９ｃとが一体になって形成されている。
【０１０１】
上側空間部１１９ａは、島天板部２１の下方側であり、２つの遊技機列（片側遊技機列５、他方側遊技機列６）のよりも上側に位置する空間である。
下側空間部１１９ｂは、２つの遊技機列よりも下側に位置する空間であり、中間空間部１１９ｃは、大部分が島の短手方向で背中合わせに配される２つの遊技機２の間に位置する空間である。
【０１０２】
上側空間部１１９ａには、図６で示されるように、第一補給手段３２、オーバーフローレール３３、第二補給手段４３が配されている。
【０１０３】
第一補給手段３２は、図４で示されるように、遊技球を自重によって流下させる樋部材であり、ぱちんこ機２ａに補給する遊技球の補給流路（搬送路）を形成する。この第一補給手段３２は、上流側が島上タンク３８と連結し、下流側が球抜きホース３４と連結している。また、下流側が低位置となるように傾斜した姿勢で、島の長手方向に延びている。
【０１０４】
オーバーフローレール３３は、遊技球を自重によって流下させる樋部材であり、遊技球の搬送路を形成する。このオーバーフローレール３３は、上流側が島上タンク３８と連結しており、下流側がオーバーフローホース３５と連結している。また、第一補給手段３２の下側に位置し、下流側が低位置となるように傾斜した姿勢で、島の長手方向に延びている。
【０１０５】
第二補給手段４３は、図５、図６で示されるように、メダルを水平方向に搬送するコンベア装置を備えた部材であり、島の長手方向に沿って水平に延びる部材である。すなわち、第二補給手段４３は、駆動源としてのモータ、プーリ、無端ベルト等を有する。
また、第二補給手段４３の長手方向の一端側であって、メダルの搬送方向における上流側部分は、メダル揚送ユニット１１の内部に位置している。
すなわち、第二補給手段４３は、図５で示されるように、メダル揚送ユニット１１の内部から島本体部１０の内部（上側空間部１１９ａであり、図６参照）まで延びている。すなわち、妻板２０に形成された挿通孔（妻板２０を厚さ方向に貫通する貫通孔であり、図示しない）の内側を通過しつつ延びている。
【０１０６】
図６で示されるように、中間空間部１１９ｃには、紙幣搬送装置４７が配されている。
【０１０７】
紙幣搬送装置４７は、図１７で示されるように、台間機器７である遊技媒体貸出機（第一配設形態では上記した玉貸機であり、図１等参照）に投入された紙幣を外付け金庫１２まで搬送する装置である。この紙幣搬送装置４７は、島の長手方向に沿って延設され、長手方向の一端側が外付け金庫１２の内部に位置している。
【０１０８】
すなわち、この紙幣搬送装置４７は、中間空間部１１９ｃから外付け金庫１２の内部まで、妻板２０に形成された挿通孔（妻板２０を厚さ方向に貫通する貫通孔であり、図示しない）の内側を通過しつつ延びている。
【０１０９】
なお、この紙幣搬送装置４７は、詳細には、紙幣投入部と、紙幣識別部と、搬送部を有する（詳細については図示しない）。
紙幣投入部は、紙幣の導入部となる部分であり、紙幣を搬送する紙幣取込装置（図示しない）を介して遊技媒体貸出機と連結される部分である。
紙幣識別部は、紙幣投入部から導入された紙幣の種類を判別する部分である。
搬送部は、紙幣を搬送する部分であり、搬送コンベアや、搬送管及び送風機を有する空気流式の搬送装置によって形成されている。
【０１１０】
下側空間部１１９ｂには、図６で示されるように、島中タンク３７（図４参照）と、第一回収手段３６と、アウトカバー１２５とが配されている。
【０１１１】
島中タンク３７は、図４で示されるように、遊技球を一時的に貯留する一時貯留部材であり、概形が箱状の部材である。
【０１１２】
第一回収手段３６は、図４で示されるように、ぱちんこ機２ａから排出される遊技球（所謂アウト球）や、島中タンク３７から流出する遊技球を自重によって流下させる樋部材であり、所謂アウトレールである。
すなわち、遊技球を研磨揚送装置１４０（研磨装置、収容物であり、詳しくは後述する）まで流下させる回収流路（搬送路）を形成する部材である。すなわち、第一回収手段３６は、上流側が島中タンク３７と連結しており、下流側が研磨揚送装置１４０と連結している。そして、下流側が低位置となるように傾斜した姿勢で、島の長手方向に延びている。
【０１１３】
アウトカバー１２５は、下側空間部１１９ｂの下端側部分に配され、本体内空間１１９の下端部分を閉塞する部材（底部形成部材）である。
このアウトカバー１２５は、断面形状が略コ字状で島の長手方向に延びる部材である。
【０１１４】
また、図４で示されるように、島本体部１０の内部空間（本体内空間１１９、図６参照）のうち、島の長手方向における端部近傍に、球抜きホース３４、オーバーフローホース３５が配されている。これらは、内部空間の上側部分から下側部分（上側空間部１１９ａから下側空間部１１９ｂに至るまでの部分、図６参照）に配されている。
【０１１５】
この球抜きホース３４とオーバーフローホース３５は、いずれも遊技球を下方へ向かって流下させる搬送路を形成する部材であり、上下方向に延びている。球抜きホース３４は、上流側部分が第一補給手段３２と連結しており、オーバーフローホース３５は、上流側部分がオーバーフローレール３３と連結している。そして、それぞれの下流側部分は、島中タンク３７と連結している。
【０１１６】
なお、第一補給手段３２と球抜きホース３４の連結部分には、図示しない流下規制部材が設けられており、第一補給手段３２から球抜きホース３４に遊技球が流入する状態と、遊技球が流入しない状態を切り替え可能となっている。そして、通常は、遊技球が流入する状態で運用する。
また、オーバーフローホース３５は、上記したオーバーフローレール３３と共に、遊技機２を介さずに遊技球を島本体部１０の下側まで移動させる迂回流路を形成する。すなわち、第一補給手段３２の内部が遊技球で満たされた状態であるとき、島上タンク３８から流出された遊技球を島本体部１０の下方側まで流す流路を形成する。
【０１１７】
また、図６で示されるように、中間空間部１１９ｃの下側部分から下側空間部１１９ｂの上側部分に至るまでの部分に、アウトボックス１２８が配されている。
【０１１８】
アウトボックス１２８は、複数配されており、それぞれが第一載置部材８８に一体に取り付けられている。そして、複数のアウトボックス１２８のそれぞれは、近接するぱちんこ機２ａと関連付けられており、ぱちんこ機２ａから排出された遊技球を一時的に滞留させた後、下方側（島中タンク３７、第一回収手段３６）に排出させる部材となっている。
【０１１９】
下壁内空間１２０は、複数の下壁形成部２３（図９等参照）のそれぞれの内部に位置する回収手段配置部１００，１０４（図１２、図１５参照）が連続して形成される一連の空間である。
そして、図６で示されるように、２つの下壁内空間１２０のそれぞれに、第二回収手段４４が配されている。なお、この下壁内空間１２０は、腰板形成部材８４によって外側から覆われた状態となっている。具体的には、図２、図３等で示されるように、２つの妻板２０と複数の腰板形成部材８４によって囲まれた空間となっている。
【０１２０】
第二回収手段４４は、メダルを水平方向に搬送するコンベア装置を備えた部材であり、図４で示されるように、島の長手方向に沿って水平に延びている。この第二回収手段４４は、駆動源としてのモータ、プーリ、無端ベルト等を有する。
この第二回収手段４４は、長手方向における一端側部分であって、メダルの搬送方向における下流側部分が、メダル揚送ユニット１１の内部に位置している。すなわち、第二回収手段４４は、下壁内空間１２０の内部からメダル揚送ユニット１１の内部まで、妻板２０に形成された挿通孔（妻板２０を厚さ方向に貫通する貫通孔であり、図示しない）の内側を通過しつつ延びている。
【０１２１】
また、第二回収手段４４は、図６、図１８で示されるように、複数の連結板部９２の下側の平面部分を載置面として載置されている。
【０１２２】
したがって、この第二回収手段４４は、下側基礎構造体８３の下板部９１よりも上方に配されており、一部が下板部９１の上面から上方に離れた位置に配される。
【０１２３】
ここで、図１９で示されるように、第二回収手段４４は、複数の下側基礎構造体８３の内部に跨って配されている。
【０１２４】
ここで、２つの下壁内空間１２０にそれぞれ配される２つの第二回収手段４４のうち、少なくとも一方の第二回収手段４４ａは、図１９（ａ）で示されるように、複数の回収手段形成部材１３０（搬送路形成部）に分割可能な構造となっている。
本実施形態では、第一下壁形成部２３ａに大部分が収容される第二回収手段４４ａが、３つの回収手段形成部材１３０（１つは、図１９（ａ）では図示しない、図３２参照）に分割可能である。そして、一部（一つの回収手段形成部材１３０）を他の部分から取り外し可能となっている。
【０１２５】
すなわち、回収手段形成部材１３０は、それぞれがメダルの搬送路（回収路）の一部分を形成する部材である。したがって、３つ（複数）の回収手段形成部材１３０を島の長手方向に沿って所定順に並列配置し、連結することで、一連の搬送路（メダルの搬送路）が形成される（図３２参照）。
【０１２６】
ここで、本実施形態では、２つの回収手段形成部材１３０の間に位置する一つの回収手段形成部材１３０（図１９では図示しない、図３２参照）を取り外している。このことにより、第二回収手段４４ａによって形成されるメダルの搬送路の一部（長手方向における中途部分）が欠落し、第二回収手段４４ａの一部に回収路欠落部１３１（搬送路欠落部）が形成されている。
つまり、この回収路欠落部１３１は、２つの回収手段形成部材１３０の間に形成される空隙部分である。
【０１２７】
これに対し、もう一方の第二回収手段４４ｂは、図１９（ｂ）で示されるように、遊技機島１を他の形態（第二配設形態、第三配設形態）にした場合と同様に、長尺のメダルの搬送路を形成している。
すなわち、島本体部１０の長手方向における片側端部近傍から他方側端部の妻板２０の内側を通過し、メダル揚送ユニット１１の内部に至る一連のメダルの搬送路を形成している。
【０１２８】
また、図４等で示されるように、島本体部１０の内部空間（本体内空間１１９、図６参照）には、研磨機ユニット２９の大部分が配されている。
【０１２９】
研磨機ユニット２９は、図２０で示されるように、研磨揚送装置１４０と、外郭部材１４１（研磨機設置用部材）と、柱状部材１４２と、揚送流路１４３（図３参照）を備えた構造となっている。
【０１３０】
なお、この研磨機ユニット２９は、島柱２８と共に島の骨格部分の一部を構成する部材として使用してもよい。つまり、下壁形成部２３、上壁形成部２２（図３等参照）の荷重を支持する部材として使用してもよい。
すなわち、外郭部材１４１には、下壁形成部２３（図１等参照）の一部をネジ、釘、金具等を介して固定してもよく、柱状部材１４２には、上壁形成部２２をネジ、釘、金具等を介して固定してもよい。
【０１３１】
研磨揚送装置１４０は、外部から導入された遊技球を布部材で磨く動作を実施する研磨装置と、磨かれた遊技球を上方へ揚送する揚送装置とが一体に形成された（又はそれぞれ別に形成されて連結された）装置である。
【０１３２】
外郭部材１４１は、図２１で示されるように、本体箱部１５０（収容部材本体部）と小蓋部１５１（小片部）を有しており、小蓋部１５１が本体箱部１５０に対して着脱可能となっている（図２２参照）。また、本実施形態では、本体箱部１５０に対し、第一小箱部１５２と、第二小箱部１５３を一体に取り付けている。
なお、小蓋部１５１は、遊技機島１を第一配設形態とした場合、本体箱部１５０に取り付けた状態とする。
【０１３３】
本体箱部１５０は、内側に空間（以下、配設空間１５７（内側空間）とする）が形成される箱状部材である。本実施形態の本体箱部１５０は、概形が略直方体状であり、所定方向（配設時における島の短手方向）を幅方向とし、幅方向と直交する方向（配設時における島の長手方向）に延びた形状となっている。
【０１３４】
この本体箱部１５０は、図２３で示されるように、上下方向で離間する本体下板部１６２、本体上側部１６３（収容部材上側部）と、長手方向で離間対向する第一側方部１６４、第二側方部１６５と、幅方向の一端側に位置する第三側方部１６６とを有する。そして、幅方向の他端側に、側方開口部１６７（収容部材開放部）が形成されている。つまり、配設空間１５７は、四方を第一側方部１６４、第二側方部１６５、第三側方部１６６、側方開口部１６７によって囲まれ、少なくとも側方開口部１６７側で外部と連通する空間である。
【０１３５】
本体上側部１６３は、上面形成部１６３ａと傾斜面部１６３ｂを有する。
【０１３６】
上面形成部１６３ａは、平板状の部分であり、柱状部材１４２を挿通させるための柱挿通孔１７０が形成されている（図２０参照）。
【０１３７】
傾斜面部１６３ｂは、図２３で示されるように、本体上側部１６３の幅方向における一端側（第三側方部１６６側）に形成され、幅方向外側に向かうにつれて高さが低くなる傾斜面を形成している。
本実施形態では、図２３（ｂ）で示されるように、２つの傾斜面部１６３ｂが本体箱部１５０の長手方向で並列し、本体箱部１５０の長手方向における一端側から他端側に至るまでの間の大部分（半分以上の部分）に傾斜面が形成される。
【０１３８】
第一側方部１６４は、図２３で示されるように、本体箱部１５０の側壁部分を形成する立板状部分である。この第一側方部１６４には、ぱちんこ玉の流入口となり、第一側方部１６４を貫通する貫通孔が形成されている。
【０１３９】
第二側方部１６５は、図２３（ａ）で示されるように、上下方向に離れた位置にある上側立板部１６５ａと、下側立板部１６５ｂを有する。そして、これら上側立板部１６５ａと、下側立板部１６５ｂにより、上下方向の中心側に空隙（壁空隙部１６５ｃ）を有する側壁部分が形成されている。また、上側立板部１６５ａには、ぱちんこ玉の流入口となり、上側立板部１６５ａを貫通する貫通孔が形成されている。
【０１４０】
第三側方部１６６は、図２３（ｂ）で示されるように、下端側で本体箱部１５０の長手方向に沿って延びる横長の下側立板部１６６ａと、本体箱部１５０の長手方向における一端側で上下方向に延びる側方立板部１６６ｂを有する。
そして、これら下側立板部１６６ａと側方立板部１６６ｂにより、下側立板部１６６ａの上側で本体箱部１５０の長手方向に延びる空隙（壁空隙部１６６ｃ）を有する側壁部分が形成されている。
【０１４１】
側方開口部１６７は、図２３（ａ）で示されるように、配設空間１５７と外部の境界となる開口部分であり、研磨揚送装置１４０を配設空間１５７に出し入れ可能な大きさに形成されている。
【０１４２】
小蓋部１５１は、図２２で示されるように、略Ｌ字状に形成される板状部分であり、本体箱部１５０に取り付けることで、本体箱部１５０に形成された上側欠落部１７３を上方及び側方の二方向から覆う部分である。
なお、上側欠落部１７３は、本体箱部１５０の上側部分のうち、幅方向の一端側（傾斜面部１６３ｂが形成される端部と対となる端部側）に形成されている。この上側欠落部１７３は、本体箱部１５０の上側部分から、長手方向の一端側となる側方の上側に至る部分が欠落して形成されている。
【０１４３】
なお、本実施形態の本体箱部１５０の内部には、内部に引き込んだ樋部材（第一回収手段３６、図４等参照）と共に遊技球の流通路を形成する樋形成部材１７５が設けられている。
【０１４４】
第一小箱部１５２、第二小箱部１５３は、樋部材（第一回収手段３６、図４等参照）を支持する取付用部材（取付金具）や、樋部材を流れる遊技球の数を検知するセンサ部材等の取り付けに使用する部材である。
これら第一小箱部１５２、第二小箱部１５３は、外側（設置時における島の長手方向の外側）と内側のそれぞれに、外壁部分を厚さ方向に貫通する貫通孔を有している。この貫通孔は、いずれも外郭部材１４１の内側（配設空間１５７）へ遊技球を流入させる際、遊技球が内側を通過する部分となる。
【０１４５】
ここで、本実施形態の遊技機島１は、第一配設形態としたとき、図１９（ａ）、図２４で示されるように、２つの回収手段形成部材１３０が、管理用空間１１２と正面視（島の短手方向を視線方向とした平面視）で重ならない位置に配されている。
言い換えると、２つの回収手段形成部材１３０の間に形成される空隙（回収路欠落部１３１）の少なくとも一部が、管理用空間１１２と正面視で重なる位置に形成されている。したがって、管理用空間１１２の外側（図１９（ａ）、図２４の手前側）において、第二回収手段４４ａ（メダルの搬送路）が欠落した状態となっている。
【０１４６】
加えて、図２４で示されるように、本体箱部１５０の側方開口部１６７もまた、少なくとも一部が管理用空間１１２と正面視（島の短手方向を視線方向とした平面視）で重なる位置に配されている。
具体的には、この側方開口部１６７と管理用空間１１２の重なり部分は、上記したように研磨揚送装置１４０をスライド移動させた際、研磨揚送装置１４０が通過可能な大きさとなるように形成されている。
【０１４７】
このことから、遊技機島１は、腰板形成部材８４（図１参照）を取り外すことで、研磨揚送装置１４０が外部に露出し（図１９（ａ）、図２４参照）、且つ、研磨揚送装置１４０の手前側（島の短手方向における外側）に広い空間が形成された状態となる。このことにより、研磨揚送装置１４０のメンテナンスが容易となる。
【０１４８】
柱状部材１４２は、図２０等で示されるように、上下方向に延びる部材であり、島上タンク３８（図４参照）を支持する部材でもある。
揚送流路１４３は、柱状部材１４２に各部が取り付けられており、研磨揚送装置１４０から島上タンク３８まで延びる遊技球の搬送路を形成する部材である。
【０１４９】
続いて、図２５で示されるように、本実施形態の遊技機島１を第二配設形態とした状態について、第一配設形態から第二配設形態へと形態変更する手順を説明しつつ詳細に説明する。
【０１５０】
遊技機島１を第一配設形態から第二配設形態へと形態変更する際、遊技機２、アウトボックス１２８、台間機器７、台間板８等の機器配設部２４に配置される各部材（図１、図６等参照）を取り外す工程（台回り取り外し工程）を実施する。
さらに、図２６で示されるように、上壁形成部２２の下側から第一上方固定部材６３を取り外し、第二上方固定部材１７２に交換する工程（上方固定部材交換工程）を実施する。
【０１５１】
第二上方固定部材１７２は、パチスロ機２ｂの上側部分を島本体部１０に固定するための部材であり、メダル棚を形成する部材でもある。
第二上方固定部材１７２は、図２６で示されるように、平板状の上板部１７７及び下板部１７８と、これらの間に位置する連結板部１７９を有しており、これらが一体となった立体構造体である。
【０１５２】
この第二上方固定部材１７２は、所定方向（取り付け時における島の長手方向）に延びる長尺の部材である。そして、複数の連結板部１７９を有しており、これらが第二上方固定部材１７２の長手方向で間隔を空けて並列するように配されている。
【０１５３】
以上のことから、第二上方固定部材１７２では、第二上方固定部材１７２の長手方向で離間対向する２つの連結板部１７９の間に、箱載置部１８３が形成され、複数の箱載置部１８３が同長手方向で並列した状態となっている。
それぞれの箱載置部１８３は、下方に位置するパチスロ機２ｂ（図２５参照）に対応しており、対応するパチスロ機２ｂで遊技する遊技者がメダル箱を載置する空間を形成する。すなわち、箱載置部１８３は、島の短手方向における外側から内側へ向かって窪んだ部分となる。
【０１５４】
この第二上方固定部材１７２は、第一上方固定部材６３よりも上下方向の長さが長い部材となっている。
【０１５５】
なお、本実施形態では、一つの第二上方固定部材１７２を取り付ける構造としているが、島の長手方向長さが短い複数の第二上方固定部材１７２を島の長手方向で並列するように並列配置し、これらを連結して一体化する構造も考えられる。
また、この第二上方固定部材１７２は、必要に応じて箱載置部１８３の奥側の開口部分を閉塞するように形成してもよい。
【０１５６】
一方、遊技機島１の下側部分では、図２７で示されるように、島の骨格部分から下壁形成部２３を取り外す工程（以下、下壁取り外し工程）を実施し、さらに台部材７０を取り外す工程を実施する。
そして、図２８、図２９で示されるように、下側基礎構造体８３を第一形態から第二形態へ変更する工程（以下、下壁変更工程）を実施する。
この工程では、図２８で示されるように、下側基礎構造体８３の本体部分（上記した第一本体部８７、第二本体部１１０であり、図２８では第一本体部８７）から、第一載置部材８８と内側添板部材８９を取り外す工程を実施する。その上で、図２９で示されるように、下側基礎構造体８３の本体部分（図２９では第一本体部８７）に第二載置部材１８７（付属部材）を取り付ける工程を実施する（図２９参照）。
【０１５７】
さらに、図３０で示されるように、島の骨格部分に対し、第二形態に形態変更した下壁形成部２３を取り付ける工程（以下、下壁取り付け工程）を実施する。
ここで、下壁取り付け工程では、下壁載置部７４の台板部７５の上に、下壁形成部２３を載置し、下壁形成部２３を取り付ける。すなわち、遊技機島１を第二配設形態とした状態では、下壁形成部２３は、第一配設形態とした状態よりも低位置に高さ変更された取り付け状態となる。
【０１５８】
加えて、機器配設部２４に対し、遊技機２（パチスロ機２ｂ）、台間機器７、台間板８等（図２５参照）の各種機器及び板部材を取り付ける工程（台回り取り付け工程）を実施する。
なお、遊技機島１を第二配設形態としたとき、機器配設部２４は、第二上方固定部材１７２と下壁形成部２３の間に形成される空間となる。また、台間機器７として設置する遊技媒体貸出機は、第二配設形態ではメダル貸機となっている。
【０１５９】
また、上記した下壁変更工程において、第二載置部材１８７を取り付けるとき（図２９参照）、第二載置部材１８７に形成された切欠部１９０と連通孔部１１５により、一連の取付孔部１９３が形成される（図３０参照）。
【０１６０】
具体的に説明すると、第二載置部材１８７は、図３１で示されるように、所定方向（配設時における島の短手方向）を幅方向とし、幅方向と直交する方向（配設時における島の長手方向）に延びる長尺状の部材である。
この第二載置部材１８７は、平板状の載置板部２００と、内側立壁部２０１と、下側添板部２０３を有しており、これらを一体に連結して形成される立体構造体となっている。
【０１６１】
内側立壁部２０１は、外側面の下側部分が載置板部２００の内側端面と接触する立板状部分である。
つまり、内側立壁部２０１は、載置板部２００の内側に隣接する位置から上方に延びる部分となっており、上端部分が載置板部２００の上面よりも上方に位置する。
【０１６２】
下側添板部２０３は、平板状の部分であり、載置板部２００及び内側立壁部２０１の下方に位置する。すなわち、下側添板部２０３の上面は、載置板部２００の内側部分の下面と、下側添板部２０３の下面にそれぞれ接触している。
【０１６３】
切欠部１９０は、載置板部２００、内側立壁部２０１、下側添板部２０３のそれぞれの一部を欠落させて形成される部分であり、上方からみた平面視における形状が略四角形状となる部分である。
【０１６４】
切欠部１９０が形成された部分では、載置板部２００の外側端部から内側端部に至るまでの部分と、この部分と隣接する内側立壁部２０１の下端部からやや上方に位置する部分までが欠落している。また、下側添板部２０３のうち、これら載置板部２００、内側立壁部２０１に形成された欠落部分と重なる（上方から見た平面視で重なる）部分が欠落している。
つまり、載置板部２００、下側添板部２０３は、切欠部１９０によって一部が分断され、第二載置部材１８７の長手方向に沿って断続して延びている。
【０１６５】
そして、第二載置部材１８７を下側基礎構造体８３に取り付けるとき、図２９、図３０で示されるように、第二載置部材１８７（載置板部２００）の幅方向における外側端部を取付用凹部１０６の底部分に載置させた状態とし、一体に固定する。なお、載置板部２００の厚さ（上下方向長さ）は、取付用凹部１０６の深さと略同一となっている。
【０１６６】
ここで、第二載置部材１８７の切欠部１９０は、図３０で示されるように、第二載置部材１８７を下側基礎構造体８３に取り付けるとき、連通孔部１０５の幅方向における両端部分それぞれの内側（島の短手方向における内側）に、切欠部１９０の幅方向における両端部分のそれぞれが位置するように取り付ける。
【０１６７】
すなわち、第二載置部材１８７の載置板部２００の上面と、下側基礎構造体８３の上板部９０の上面とが略同一の高さに配され、平面的に広がりを持つ一連の面を形成する。そして、取付孔部１９３は、これらの面を上下方向に貫通する孔部分となる。つまり、取付孔部１９３は、下側基礎構造体８３（下壁形成部２３）の上側部分と、回収手段配置部１００とを連通する孔となる。
【０１６８】
ここで、本実施形態の第二載置部材１８７は、上記した第一載置部材８８、内側添板部材８９と同様に、下側基礎構造体８３の本体部（第一本体部８７、第二本体部１１０であり、図２９では第一本体部８７）と島の長手方向長さが同一又は略同一となっている。すなわち、一の本体部に一の第二載置部材１８７を取り付けている。
しかしながら、これに替わって、長手方向の長さの長い第二載置部材１８７を採用し、並列配置した複数の本体部に一の第二載置部材１８７を取り付けてもよい。対して、長手方向の長さの短い第二載置部材１８７を採用し、一の本体部に複数の第二載置部材１８７を取り付けてもよい。
【０１６９】
以上のように、本実施形態の下側基礎構造体８３は、本体部（第一本体部８７、第二本体部１１０）に対し、付属部材の付け替えを行うことで、形態変更（第一形態から第二形態への変更）が可能となる。
すなわち、下側基礎構造体８３は、本体部と、付属部材である第一載置部材８８、内側添板部材８９、第二載置部材１８７を有しており、付属部材を選択的に取り付けて形成される部分である。そして、第一形態では、第一の付属部材である第一載置部材８８、内側添板部材８９を取り付け、第二形態では、第二付属部材である第二載置部材１８７を取り付ける。
【０１７０】
ここで、上記したように、第一配設形態では、２つの下壁形成部２３のうち、一方の第一下壁形成部２３ａの内部では、第二回収手段４４ａが分断された状態となっている（図５（ａ）参照）。そして、他方の第二下壁形成部２３ｂの内部では、第二回収手段４４ｂが長尺のメダルの搬送路を形成した状態となっている。
【０１７１】
したがって、第一下壁形成部２３ａに対し、下壁取り外し工程、下壁変更工程、下壁取り付け工程からなる一連の工程（図２７乃至図３０参照）を実施するとき、図３２で示されるように、第二回収手段４４ａを連結する回収路連結工程を実施する。
これに対し、第二下壁形成部２３ｂに同様の一連の工程を実施するときには、第二回収手段４４ｂを内部で連結させた状態のまま、これらの工程を実施する。
【０１７２】
回収路連結工程は、図３２で示されるように、２つの回収手段形成部材１３０の間に位置する回収路欠落部１３１に対し、他の一つの回収手段形成部材１３０を配し、３つの回収手段形成部材１３０を連結する工程である。
この回収路連結工程は、すなわち、下壁取り外し工程、下壁変更工程、下壁取り付け工程からなる一連の工程よりも先だって実施してもよく、これら一連の工程の後に実施してもよい。また、下壁取り外し工程、下壁変更工程、下壁取り付け工程からなる各工程の間に実施してもよい。
【０１７３】
このことから、遊技機島１を第二配設形態としたとき、図３３で示されるように、第一下壁形成部２３ａ、第二下壁形成部２３ｂのそれぞれの内部に、長尺のメダル搬送路が形成される。すなわち、２つの第二回収手段４４（第二回収手段４４ａ，４４ｂ）は、いずれも島本体部１０の長手方向における片側端部よりもやや中央よりの位置から、他方側端部を経てメダル揚送ユニット１１の内部まで延びた状態となる。
【０１７４】
したがって、遊技機島１を第二配設形態としたとき、２つの第二回収手段４４ａ，４４ｂと、メダル揚送ユニット１１の内部と、第二補給手段４３と、パチスロ機２ｂを経て、メダルを循環させる第二循環流路２０７が形成される。
すなわち、片側遊技機列５に属するパチスロ機２ｂから排出されたメダルは、一方の第二回収手段４４ａを経てメダル揚送ユニット１１の内部に回収される。その一方で、他方側遊技機列６に属するパチスロ機２ｂから排出されたメダルは、他方の第二回収手段４４ｂを経てメダル揚送ユニット１１の内部に回収される。そして、メダル揚送ユニット１１の内部で洗浄、揚送されたメダルは、第二補給手段４３と、それぞれのパチスロ機２ｂに供給されることとなる。
【０１７５】
また、第二配設形態においても、上記した第一補給手段３２、オーバーフローレール３３、球抜きホース３４、オーバーフローホース３５、第一回収手段３６、島中タンク３７が島本体部１０の内部に配されている（図４参照）。さらに、島上タンク３８が島本体部１０の上部に配され、研磨機ユニット２９の大部分が島本体部１０の内部に配された状態となっている。つまり、上記した第一循環流路３９のうち、ぱちんこ機２ａを除く遊技球の搬送用部材と、遊技機球の一時貯留部材が内部に配された状態となっている。
【０１７６】
ここで、第一循環流路３９は、上記したように、オーバーフローホース３５、オーバーフローレール３３からなる迂回流路を経由させることで、ぱちんこ機２ａの内部を通過させずに遊技球の循環が可能となっている。つまり、本実施形態の遊技機島１は、第二配設形態とした場合においても、内部で遊技球を循環させる動作が可能となる。
【０１７７】
また、遊技機島１の内部では、図３４で示されるように、メダル回収シュート２１０が配されている。すなわち、遊技機島１を第一配設形態から第二配設形態に形態変更するとき、メダル回収シュート２１０を取り付ける取り付け工程を実施する。
【０１７８】
このメダル回収シュート２１０は、遊技機島１の内部に複数配されており、それぞれは、近接するパチスロ機２ｂと関連付けられている。すなわち、近接するパチスロ機２ｂから排出されたメダルを第二回収手段４４の上側へ流すメダルの流路（搬送路）を形成する部材である。
メダル回収シュート２１０は、図３５で示されるように、一部（少なくとも一部）が上記した取付孔部１９３の内側に挿通された状態で配されている。
【０１７９】
ここで、第二配設形態では、図３６で示されるように、本体箱部１５０から小蓋部１５１を取り外した状態とした状態で（図２２参照）、研磨機ユニット２９の大部分を本体内空間１１９に配している。
そして、メダル回収シュート２１０の一部が、本体箱部１５０の配設空間１５７（図２２参照）に配置された状態となっている。
【０１８０】
また、図３６で示されるように、本体箱部１５０の一部が、管理用空間１１２（図３６では図示しない、図２４等参照）を介して、第一下壁形成部２３ａの内部に配されている。
これらのことから、本実施形態では、島本体部１０の本体内空間１１９が狭い場合であっても、本体箱部１５０、メダル回収シュート２１０の配置が可能であり、遊技機島１のコンパクト化（幅方向（短手方向）長さの小型化）を図ることができる。
【０１８１】
また、上記したように、本実施形態の遊技機島１は、島柱２８、研磨機ユニット２９の外郭部材１４１を設置場所（遊技場の床面等）から取り外すことなく、第一配設形態から第二配設形態への形態変更が可能である。
さらに、高位置に形成される２つの上壁形成部２２とその間の部分及び、２つの上壁形成部２２より上方に位置する部分が、第一配設形態と同様の状態を維持したまま、第二配設形態への変更が可能となっている（図６、図２６、図３５等参照）。すなわち、島本体部１０の上側部分に対し、外郭部分を形成する部材や内部機器の着脱をすることなく第二配設形態への形態変更が可能となっている。これらのことから、本実施形態の遊技機島１では、形態変更作業が容易である。
【０１８２】
本実施形態の遊技機島１では、形態変更の前後でアウトカバー１２５が取り付けられた状態となっている（図６、図３４参照）。
そして、それぞれの形態において、２つの立壁部１２５ｂの上端部分が、下壁形成部２３の下端部分よりも上方に位置している。加えて、それぞれの形態において、一方の立壁部１２５ｂの外側面が一方の下壁形成部２３の内側（島の短手方向における内側）部分と近接しており、他方の立壁部１２５ｂの外側面が一方の下壁形成部２３の内側と近接している。なお、ここでいう「近接する」とは、接触する又は数ｍｍ程度離れた位置に配されることとする。
【０１８３】
本実施形態の遊技機島１では、上記したように、第一循環流路３９を形成する各部材の大部分や、第二循環流路２０７を形成する部材の大部分が形態変更の前後で、遊技機島１の内部に配されている。また、下壁形成部２３の大部分、すなわち、下側基礎構造体８３の本体部（第一本体部８７、第二本体部１１０）と、腰板形成部材８４とが、形態変更の前後で遊技機島１の下側外壁部分を形成する。これらのことから、倉庫等に保管しておく部材を少なくすることが可能となっている。
【０１８４】
本実施形態の遊技機島１は、上記した手順と逆の手順により、第二配設形態から第一配設形態への形態変更が可能である。
また、本実施形態の遊技機島１を上記した第三配設形態とする場合、図３７で示されるように、遊技機島１の短手方向の一方側を上記した第一配設形態と同様の状態とし、他方側を上記した第二配設形態と同様の状態とする。
すなわち、本実施形態の遊技機島１は、第一配設形態、第二配設形態のそれぞれから第三配設形態への形態変更が可能であり、第三配設形態から第一配設形態、第二配設形態のそれぞれから第三配設形態への形態変更が可能である。
【０１８５】
下側基礎構造体８３は、上記した実施形態に限るものではなく、例えば、図３８で示されるように、上板部３９０の上面のうち、外側端部（島の短手方向における外側端部）よりもやや内側に位置する部分に球止め凹部３９１を形成した構造であってもよい。
この球止め凹部３９１は、上記した第一配設形態、第三配設形態において、遊技球の落下を防ぐための部分として機能する部分であり、周囲よりも下方に窪んだ部分である。
また、少なくとも一部が上板部９０、３９０を覆う化粧部材を取り付け、この化粧部材に凹部（球止めのための凹部）を形成してもよい。この場合、上板部３９０にも凹部を形成した上で化粧部材を取り付ける構造としてもよく、凹部を形成しない上板部９０に対し、凹部を形成した化粧部材を取り付ける構造としてもよい。
【０１８６】
上記した実施形態では、下側基礎構造体８３の本体部分から付属部材（第一載置部材８８、内側添板部材８９）を取り外し、別の付属部材（第二載置部材１８７）を取り付けることで、第一形態から第二形態への形態変更を行った（図２８、図２９参照）。また、その逆の手順で、第二形態から第一形態への形態変更を行った。
しかしながら、本発明の下壁保持部材はこれに限るものではない。
例えば、下壁保持部材は、下側基礎構造体８３の本体部分に付属部材（第一載置部材８８、内側添板部材８９）を取り付けた状態から、この付属部材を取り外した状態とすることで第一形態から第二形態への形態変更を行ってもよい。同様に、その逆の手順で、第二形態から第一形態への形態変更を行ってもよい。
つまり、付属部材を別の付属部材と付け替えることで形態変更を行う構成に替わって、付属部材を取り付けた状態と取り外した状態とを切り替えることで形態変更を行う構成としてもよい。
【０１８７】
上記した実施形態では、本体下板部１６２の上に研磨揚送装置１４０を載置し、且つ、内側の配設空間１５７に研磨揚送装置１４０を収容する研磨機設置用部材（外郭部材１４１）を採用した例を示した（図２０参照）。
しかしながら、本発明の研磨機設置用部材はこれに限るものではない。
【０１８８】
例えば、図３９で示されるように、本体下板部１６２を有さず、長手方向で離間対向する第一側方部４６４、第二側方部４６５と、上方でこれらを連結する本体上側部４６３を備えた設置用部材４４１（研磨機設置用部材）を採用してもよい。この設置用部材４４１では、第一側方部４６４、第二側方部４６５の間に研磨揚送装置１４０を配する配設空間４５７が形成される。そして、配設空間４５７は、本体上側部４６３によって上方を覆われ、３方を囲まれた空間となる。
【０１８９】
この設置用部材４４１は、第一側方部４６４、第二側方部４６５が遊技場（設置場所）の床に対して固定された状態で、研磨揚送装置１４０を配設空間４５７に収容する。このとき、研磨揚送装置１４０は、遊技場の床に対して固定した状態とする。なお、この設置用部材４４１は、必ずしも本体上側部４６３を備えたものでなくてもよいが、上方から落下した異物が研磨揚送装置１４０と接触することを防止するという観点から、本体上側部４６３を設けることが望ましい。
【０１９０】
また、図４０で示されるように、設置用部材５４１（研磨機設置用部材）は、遊技場の床ではなく、島柱２８に対して固定するものであってもよい。
設置用部材５４１は、研磨揚送装置１４０を載置する平板状の本体板部５４１ａと、本体板部５４１ａの一部を切り起こして形成される取付片部５４１ｂを備えている。
【０１９１】
そして、設置用部材５４１は、取付片部５４１ｂをボルト等の締結要素で添板部７３に固定することで、島柱２８に対して固定される。つまり、設置用部材５４１は、島柱２８を介して間接的に遊技場の床に対して固定される部材である。
【０１９２】
設置用部材５４１が島柱２８に固定されると、本体板部５４１ａの下方に空間が形成される。すなわち、本体板部５４１ａは、遊技場の床から一定距離だけ高位置に配された状態となり、研磨揚送装置１４０もまた遊技場の床から一定距離だけ離れた位置に配される。
この設置用部材５４１では、本体板部５４１ａの一部分の上方に位置する空間が、研磨揚送装置１４０を配置する配設空間となる。つまり、配設空間は、研磨揚送装置１４０の周囲（四方及び上方）が開放された空間であってもよい。
【符号の説明】
【０１９３】
１    遊技機島
２ａ    ぱちんこ機（第一遊技機）
２ｂ    パチスロ機（第二遊技機）
２２    上壁形成部（上部側壁部）
２３    下壁形成部（下部側壁部）
２４    機器配設部（配設部）
２８    島柱
８３    下側基礎構造体（下壁保持部材）
８４    腰板形成部材(外壁材)
８７    第一本体部（本体部）
８８    第一載置部材（載置台部材、付属部材）
８９    内側添板部材（付属部材）
１００    回収手段配置部（収容空間）
１０４    回収手段配置部（収容空間）
１０５    連通孔部（連通部）
１１０    第二本体部（本体部）
１１２    管理用空間
１３０    回収手段形成部材
１３１    回収路欠落部
１４０    研磨揚送装置（研磨装置）
１４１    外郭部材（研磨機設置用部材）
１５０    本体箱部
１５１    小蓋部
１５７    配設空間
１６３    本体上側部
１６７    側方開口部
１８７    第二載置部材（付属部材）
４４１    設置用部材（研磨機設置用部材）
５４１    設置用部材（研磨機設置用部材）
【図１】
2020174922.tif 000003
【図２】
2020174922.tif 000004
【図３】
2020174922.tif 000005
【図４】
2020174922.tif 000006
【図５】
2020174922.tif 000007
【図６】
2020174922.tif 000008
【図７】
2020174922.tif 000009
【図８】
2020174922.tif 000010
【図９】
2020174922.tif 000011
【図１０】
2020174922.tif 000012
【図１１】
2020174922.tif 000013
【図１２】
2020174922.tif 000014
【図１３】
2020174922.tif 000015
【図１４】
2020174922.tif 000016
【図１５】
2020174922.tif 000017
【図１６】
2020174922.tif 000018
【図１７】
2020174922.tif 000019
【図１８】
2020174922.tif 000020
【図１９】
2020174922.tif 000021
【図２０】
2020174922.tif 000022
【図２１】
2020174922.tif 000023
【図２２】
2020174922.tif 000024
【図２３】
2020174922.tif 000025
【図２４】
2020174922.tif 000026
【図２５】
2020174922.tif 000027
【図２６】
2020174922.tif 000028
【図２７】
2020174922.tif 000029
【図２８】
2020174922.tif 000030
【図２９】
2020174922.tif 000031
【図３０】
2020174922.tif 000032
【図３１】
2020174922.tif 000033
【図３２】
2020174922.tif 000034
【図３３】
2020174922.tif 000035
【図３４】
2020174922.tif 000036
【図３５】
2020174922.tif 000037
【図３６】
2020174922.tif 000038
【図３７】
2020174922.tif 000039
【図３８】
2020174922.tif 000040
【図３９】
2020174922.tif 000041
【図４０】
2020174922.tif 000042